(57)【要約】【課題】 電解清浄ラインの水切り装置の水切り性を大幅に向上させた装置を提供する。【解決手段】  電解清浄タンクから出て来た鋼板を両面から挟む水切りロールが設けられた水切り装置において、前記水切りロールの下流側に設けられたスリットノズルをもつエアーワイパーと、該エアーワイパーに接続された送風手段と、前記エアーワイパーの下流側に設けられたドライヤーとを備えたものである。前記エアーワイパーは鋼板の幅方向の両端部に設けられている。前記エアーワイパーの取付状態は、ノズル噴射方向が鋼板平面に対し垂直から上流側に０〜６０度傾斜している。前記エアーワイパーの取付状態は、ノズルスリットの長さ方向が、鋼板幅方向に対し、下流側に０〜６０度傾斜している。前記送風手段はルーツブロアである。【選択図】        図２
2009114536.tif 000002
【特許請求の範囲】
【請求項１】
電解清浄タンクから出て来た鋼板を両面から挟む水切りロールが設けられた水切り装置において、
前記水切りロールの下流側に設けられたスリットノズルをもつエアーワイパーと、
該エアーワイパーに接続された送風手段と、
前記エアーワイパーの下流側に設けられたドライヤーを備えた電解清浄ラインの水切り装置。
【請求項２】
前記エアーワイパーは鋼板の幅方向の両端部に設けられている請求項１記載の電解清浄ラインの水切り装置。
【請求項３】
前記エアーワイパーは鋼板の幅方向の全域にわたり設けられている請求項１記載の電解清浄ラインの水切り装置。
【請求項４】
前記エアーワイパーの取付状態は、ノズル噴射方向が鋼板平面に対し垂直から上流側に０〜６０度傾斜している請求項１または２記載の電解清浄ラインの水切り装置。
【請求項５】
前記エアーワイパーの取付状態は、ノズルスリットの長さ方向が、鋼板幅方向に対し、下流側に０〜６０度傾斜している請求項１または２記載の電解清浄ラインの水切り装置。
【請求項６】
前記送風手段はルーツブロアであるいずれかの前記請求項の１に記載の電解清浄ラインの水切り装置。
【発明の詳細な説明】
【技術分野】
【０００１】
本発明は、電解清浄ラインの水切り装置に関するものである。
【背景技術】
【０００２】
従来のこの種の装置では、水切りロールの下流側で、鋼板幅方向に沿ったエアー供給管が設けられていた。そして、鋼板に向かって多数のノズル管が突出し、そこからエアーを噴出していた。この供給管には、圧縮機から高圧エアーが導かれていた。
【０００３】
なお、特許文献１に記載のものは、アルカリ電解後に残留している鋼板表面の汚れを、ほぼ完全に除去できる鋼板洗浄装置を提供することを課題としているものである。
【０００４】
また、特許文献２のものは、鋼板表面に付着した洗浄オイルの除去性を向上することを課題としている。
【特許文献１】特開２００４−１１５８２９公報
【特許文献２】特開平１１−３３４６２号公報
【発明の開示】
【発明が解決しようとする課題】
【０００５】
このような従来の技術では、水切り性能が満足するものではなかった。このため、慢性的な錆びの発生、鋼板の送り速度の低下、および電解清浄タンクでの高温操業などの問題があった。
【０００６】
本発明は上記課題を解決し、電解清浄ラインの水切り装置の水切り性を大幅に向上させた装置を提供することを目的とする。
【課題を解決するための手段】
【０００７】
本発明は、エアー源を従来の高圧エアーを供給する圧縮機から、低圧エアーを供給する送風手段へ変更し、さらに、エアーノズル形状を変更したことにより、低圧エアーでも水切り性の良好な水切り装置を開発したものである。
【０００８】
即ち、本発明の課題解決手段の第１は、電解清浄タンクから出て来た鋼板を両面から挟む水切りロールが設けられた水切り装置において、前記水切りロールの下流側に設けられスリットノズルをもつエアーワイパーと、該エアーワイパーに接続された送風手段と、前記エアーワイパーの下流側に設けられたドライヤーとを備えたことである。
【０００９】
本発明の課題解決手段の第２は、第１解決手段に加え、前記エアーワイパーは鋼板の幅方向の両端部に設けられていることである。
【００１０】
本発明の課題解決手段の第３は、第１解決手段に加え、前記エアーワイパーは鋼板の幅方向の全域にわたり設けられている。
【００１１】
本発明の課題解決手段の第４は、第１また第２解決手段に加え、前記エアーワイパーの取付状態は、ノズル噴射方向が鋼板平面に対し垂直から上流側に０〜６０度傾斜していることである。
【００１２】
本発明の課題解決手段の第５は、第１また第２解決手段に加え、前記エアーワイパーの取付状態は、ノズルスリットの長さ方向が、鋼板幅方向に対し、下流側に０〜６０度傾斜していることである。
【００１３】
本発明の課題解決手段の第６は、上記いずれか１の解決手段に加え、前記送風手段はルーツブロアであることである。
【発明の効果】
【００１４】
本発明により、スリットノズルを持つエアーワイパーを使うことにより、高度の水切り効果を得ることとなった。そのため、電解洗浄工程での低温化が可能となった。同時に、省エネルギーとタンク内の酸化抑制により錆び発生の低減化が可能となった。また、ライン速度の向上が可能となった。
【発明を実施するための最良の形態】
【００１５】
以下に本発明の一実施例を図面に基づき説明する。
図１，２において、ダンクタンク１ａ，電解タンク１ｂ，ホットデップタンク１ｃからなる電解清浄タンク１から出て来た鋼板Ａは、水切り装置１０を通って水切りされ、エアードライヤー２で乾燥される。
【００１６】
前記水切り装置１０において、水切りロール１１の下流側にスリットノズル１２ａを持つエアーワイパー１２が設けられる。該エアーワイパーは、送風手段１３としてルーツブロア（３葉のローターを２本持つ）が接続される。これらの組の２組が鋼板Ａの送り方向に間隔を存して設けられる。
【００１７】
図３，４に示すエアーワイパー１２において、本体１２ａは大略的に鋼板Ａの平面にほぼ平行な筒体を呈し、上側で半円筒体、下側で下細三角筒体が結合されている。そして、三角筒体の下端にスリットノズル１２ｃが下向きに開口している。図示の右端にエアー入口１２ｂが設けられ、ブロア１３に接続される。左端は閉鎖されている。
【００１８】
ここで、前記エアーワイパー１２は、鋼板Ａの幅方向両端部の上側および下側に設けられている。実機テストより、コイルのセンター部水切りは水切りロール１１のみで十分できており、エアーワイパーで水切りが必要なのは、エッジ付近のみであることが判明したためである。しかし、前記エアーワイパーは鋼板の幅方向の全域にわたり設けられてもよい。
【００１９】
そして、図５のように、前記エアーワイパー１２の取付状態は、ノズル噴射方向が鋼板平面に対し、垂直から上流側に（上流に向かって）、角度Ｂ（３０）度で傾斜している。また図６のように、ノズルスリット１２ａの長さ方向が、鋼板幅方向に対し、下流側に角度Ｃ（３０）度で傾斜している。
【００２０】
前記角度Ｂは、０〜６０度，１５〜４５度，好ましくは２５〜３５度である。
また、角度Ｃは、０〜６０度，１５〜４５度，好ましくは２５〜３５度である。
【００２１】
以上において、作動状態を説明する。エアーワイパー１２のエアー入口１２ｂから入ったエアーは、スリットノズル１２ｃから鋼板Ａの上面，下面に向けて噴出する。このとき、ノズル出口において、その周囲のエアーが巻き込まれて噴流となり、前記のノズルからの噴流と合流し、ブロア１３からの低圧エアーでも、良好な噴流効果が得られるのである。
【００２２】
従来から、水切りに必要なのは高圧力であり、低圧では水が切れないと考えられていた。圧力は低くても、大流量、かつ、広範囲にエアーを吹き付けることにより、同等の水切り性能を得ることが可能なことが判明した。省エネルギーの観点から、動力費の安価な送風機を用いた水切りが重要である。
【００２３】
〔実施例〕
スリットノズル（Ａ社製）の仕様を表１に表す。
【００２４】
【表１】
2009114536.tif 000003
【００２５】
ルーツフロワ（Ｂ社製）の仕様を表２に表す。
【００２６】
【表２】
2009114536.tif 000004
【００２７】
〔試験結果〕
水切り性能テストの結果を表３に示す。専用濾紙を用いた水切りチェックにより、鋼板の表面およびエッジの水切り性を確認した。表３において、○は濾紙が乾燥したままの場合、×は濾紙が湿る・濡れる場合を表す。
【００２８】
【表３】
2009114536.tif 000005
【００２９】
ここで、試算結果を以下に示す。
・コンプレッサーからルーツブロワに変えたことに伴う動力費削減による省エネルギー
◇エネルギー：
(削減分)7,738,337[MJ/年]−(増加分)4,821,548[MJ/年]＝2,916,789[MJ/年]
◇ＣＯ２：
(削減分)327,755[kg-CO2/年]−(増加分)175,215[kg-CO2/年]＝152,540[kg-CO2/年]
・低温化（７０℃から５０℃）に伴う蒸気使用量削減による省エネルギー）
◇エネルギー：
(従来)43,990,419[MJ/年]−(本発明)30,528,291[MJ/年]＝13,462,128[MJ/年]
◇ＣＯ２：
(従来)2,252,317[kg-CO2/年]−(本発明)1,563,054[kg-CO2/年]＝689,263[kg-CO2/年]。
【００３０】
本発明は前記した実施例や実施態様に限定されず、特許請求の範囲および範囲を逸脱せずに種々の変形を含む。
【産業上の利用可能性】
【００３１】
本発明は、電解清浄ラインの水切り装置に利用されるものである。
【図面の簡単な説明】
【００３２】
【図１】本発明の一実施例の全体系統図である。
【図２】図１の要部斜視図である。
【図３】エアーワイパーの正面図である。
【図４】図３のＹ４―Ｙ４断面図である。
【図５】エアーワイパーの取付状態説明の正面図である。
【図６】図５の平面図である。
【符号の説明】
【００３３】
Ａ  鋼板
１  電解清浄タンク
１ａ  ダンクタンク
１ｂ  電解タンク
１ｃ  ホットデップタンク
２  ドライヤー
１０  水切り装置
１１  水切りロール
１２  エアーワイパー
１２ａ  本体
１２ｂ  エアー入口
１２ｃ  スリットノズル
１３  送風手段
【図１】
2009114536.tif 000006
【図２】
2009114536.tif 000007
【図３】
2009114536.tif 000008
【図４】
2009114536.tif 000009
【図５】
2009114536.tif 000010
【図６】
2009114536.tif 000011